(57)【要約】【課題】建築用縦材と建築用横材との連結部位にガタつきのない建築用木材の接合構造を提供すること。【解決手段】建築用縦材１の側面部にボルト通し孔４を設け、建築用横材２の端部に連結金具を収納する横材側金具収納穴５を設け、連結金具６は、横材側金具収納穴５内に固定する固定部13と、固定部13に対して移動する移動部14とで構成し、移動部14に、ボルト通し孔４に通した連結ボルト３が螺着する螺着部11を設け、螺着部11に螺着した連結ボルト３の回動により横材側金具収納穴５内の移動部14が固定部13に対して引き寄せ移動する際、引き寄せ力を固定部13に伝達する引き寄せ伝達用係止部15を設けた建築用木材の接合構造。【選択図】図７
2013133677.tif 000002
【特許請求の範囲】
【請求項１】
木製の建築用縦材と木製の建築用横材とを直角若しくは傾斜状態に接合する建築用木材の接合構造であって、前記建築用縦材の前記建築用横材を接合する接合側面部とは反対側の反対側面部から接合側面部へ、連結ボルトを挿通するボルト通し孔を前記建築用縦材に設け、前記建築用横材の端部に横材側金具収納穴を設け、この横材側金具収納穴に連結金具を引き寄せ移動自在に配設し、この連結金具に、前記建築用縦材に設けた前記ボルト通し孔を通って前記接合側面部から貫通突出する前記連結ボルトの螺子部が螺着する螺着部を設けて、この連結ボルトを回動することでこの連結ボルトに螺着している前記連結金具を前記横材側金具収納穴から引き出す方向に引き寄せ移動するように構成し、前記連結金具は、予め前記建築用横材の前記横材側金具収納穴内に固定する固定部と、この固定部に対して引き寄せ移動自在に設ける移動部とから構成し、この移動部に前記螺着部を設け、この移動部の螺着部に螺着した前記連結ボルトを回動することで、回り止め状態に前記横材側金具収納穴内に収納されている前記移動部が前記固定部に対して引き寄せ移動する際、この引き寄せ力を前記固定部に伝達する引き寄せ伝達用係止部を設けたことを特徴とする建築用木材の接合構造。
【請求項２】
前記移動部を引き寄せ移動する際に、この移動途中で前記固定部に係止してこの固定部に引き寄せ力を伝達する前記引き寄せ伝達用係止部を前記移動部に設けて、前記連結ボルトを締め付け回動して前記移動部を引き寄せた後、前記引き寄せ伝達用係止部を介して前記固定部にも引き寄せ力を伝達してこの固定部の固定ガタを引き寄せ除去し、前記移動部に設けた係止孔に、前記建築用横材に設けた挿通孔から挿通する係止体を差し込み係止して、前記建築用縦材と前記建築用横材とを前記連結金具を介して接合する構成としたことを特徴とする請求項１記載の建築用木材の接合構造。
【請求項３】
前記連結金具の前記固定部は、前記建築用横材の端部に設けた前記横材側金具収納穴に挿入配設される板材体で、この板材体に設けた係止孔に前記建築用横材に設けた挿通孔から挿通される係止体を差し込み係止することで予め前記建築用横材の前記横材側金具収納穴内に固定される構成とし、前記連結金具の前記移動部は、前記固定部に対して前記横材側金具収納穴内から突出する方向に引き寄せ移動自在に設けられ、この移動部の引き寄せ移動に際して係止して前記固定部に引き寄せ力を伝達して前記係止孔と前記係止体との固定ガタを除去する前記引き寄せ伝達用係止部を設けると共に、この固定部の固定ガタを除去した後、前記建築用横材に設けた挿通孔に挿通する係止体を差し込み係止する係止孔を設けた構成としたことを特徴とする請求項１，２のいずれか１項に記載の建築用木材の接合構造。
【請求項４】
前記建築用縦材の前記連結ボルトが貫通突出する前記接合側面部に、前記引き寄せ移動する前記連結金具の前記移動部の一部が収納する縦材側金具収納穴を設け、この縦材側金具収納穴に前記連結金具の移動部の一部を引き寄せ移動して収納させた後、前記建築用横材に設けた前記挿通孔から挿通する前記係止体を差し込み係止する前記係止孔を前記連結金具の移動部に設けたことを特徴とする請求項１〜３のいずれか１項に記載の建築用木材の接合構造。
【請求項５】
前記建築用横材の端部に前記横材側金具収納穴を凹設すると共に、前記建築用縦材の前記接合側面部に前記縦材側金具収納穴を対向状態に凹設し、前記横材側金具収納穴に前記連結金具を収納して前記固定部を横材側金具収納穴内に固定し、前記建築用縦材の前記接合側面部に前記建築用横材の端部を突き合わせ配設し、前記連結ボルトの前記建築用縦材から貫通突出する前記螺子部を前記連結金具の前記移動部の端部に設けた前記螺着部に螺着し、この連結ボルトを回動することで前記連結金具の移動部を螺動してこの移動部の端部を前記縦材側金具収納穴に引き寄せ収納し、前記移動部に設けた前記係止孔に、前記建築用横材の前記挿通孔から挿通した前記係止体を差し込み係止して、前記建築用縦材と前記建築用横材とを接合する構成としたことを特徴とする請求項４記載の建築用木材の接合構造。
【請求項６】
前記建築用縦材の前記接合側面部に前記縦材側金具収納穴を凹設し、この縦材側金具収納穴の上部の接合側面部を前記建築用横材の端部の突き当て面とし、前記縦材側金具収納穴の下部に、前記建築用横材の端部下面を支承する支承面を有する形状に前記建築用縦材を構成したことを特徴とする請求項４，５のいずれか１項に記載の建築用木材の接合構造。
【請求項７】
前記建築用縦材に、前記縦材側金具収納穴と隣接状態にして前記係止体を差し込み係止する差込孔を設けるか、若しくは前記建築用横材に、前記横材側金具収納穴と隣接状態にして前記係止体を差し込み係止する差込孔を設けたことを特徴とする請求項４〜６のいずれか１項に記載の建築用木材の接合構造。
【発明の詳細な説明】
【技術分野】
【０００１】
本発明は、例えば、木製の柱などの建築用縦材と、木製の梁などの建築用横材とを接合する建築用木材の接合構造に関するものである。
【背景技術】
【０００２】
従来の建築用木材の接合構造としては、例えば特開２０００−１０４３４３号（特許文献１）にあるように、断面コ字型若しくはＵ字型の接合金具を用いる構造がある。
【０００３】
具体的には、建築用縦材に当接固定する縦材固定部と、この縦材固定部から突出して建築用横材の端部の仕口部に接合連結される左右一対の横材連結板部とから成る断面コ字型若しくはＵ字型の接合金具を用いる。
【０００４】
この接合金具の縦材固定部には、前記縦材の側面より貫通突出する連結ボルトを挿通するボルト孔を上下方向に複数並設状態に設け、一方この接合金具の左右の横材連結板部には夫々、前記横材の端部にして仕口部に形成された挿通孔に挿通固定する係止体（ドリフトピン）を挿通する為の係止孔や、前記仕口部の挿通孔に挿通固定した最も上側位置の係止体を掛け止め状態に連結する為のあご掛け凹部を設ける。
【０００５】
そして、例えば、先ず縦材の対向側面間に貫通状態に設けたボルト挿通孔に貫通した連結ボルトにより、この縦材の側面に接合金具の縦材固定部を当接固定する。
【０００６】
次いで、この接合金具の横材連結板部を横材の仕口部内に挿入配設しつつ、この仕口部の最も上側の挿通孔に予め挿通固定しておいた係止体を前記横材連結板部のあご掛け凹部に上方から載置支承させて掛け止め状態に連結する。
【０００７】
その後、この仕口部の残余の挿通孔と、前記横材連結板部の係止孔とを連通させて係止体を打ち込み固定して、この横材連結板部を前記横材の仕口部に接合連結し、これにより縦材と横材とを直角若しくは傾斜状態に接合する構成である。
【先行技術文献】
【特許文献】
【０００８】
【特許文献１】特開２０００−１０４３４３号公報
【発明の概要】
【発明が解決しようとする課題】
【０００９】
上記のような接合金具は、係止体を打ち込みする際の施工性向上を目的として、係止孔の孔径寸法が、係止体の外径寸法よりやや径大に設定されている。
【００１０】
しかし、この寸法差によって係止孔と係止体とに生じる隙間がガタつきを生み、このガタつきが建築用縦材に対する建築用横材の連結位置の精度不良や構造強度低下の要因となる懸念がある。
【００１１】
そこで、このような懸念を解消するために、「引き寄せ」と称される手法が従来から実施されている。
【００１２】
この「引き寄せ」を簡単に説明すると、例えば、横材の端部に形成する前記挿通孔を、前記係止孔と前記係止体との径寸法差に応じて通常より横材の内側（横材の長さ方向の中央側）に位置するように形成し、これにより挿通孔に係止体を打ち込んで係止体を係止孔に差し込み係止すると、係止孔の前記横材連結板部の先端側の孔縁に係止体の側部外周面が当接して、横材が縦材の側面部に引き寄せられるようにするもので、この構成によれば、係止孔と係止体とにガタつきが生じず、上記のような懸念は解消される。
【００１３】
しかし、この「引き寄せ」は、前記横材の端部への挿通孔の形成位置に高精度を要する上、この挿通孔の位置精度を確保できても、横材が乾燥によって収縮してしまうと挿通孔と係止孔との位置関係に狂いが生じてしまうため、収縮しにくい品質の木材を使用する必要があった。
【００１４】
本発明は、このような現状に鑑みて商品開発を進めた末に完成したもので、建築用横材への挿通孔の形成位置に高精度を要したり横材の品質に左右されることなく横材を縦材に引き寄せて強固に接合でき、これにより建築用縦材と建築用横材との連結部位（挿通体と係止孔）にガタつきがなく、優れた耐力を発揮する画期的な建築用木材の接合構造を提供するものである。
【課題を解決するための手段】
【００１５】
添付図面を参照して本発明の要旨を説明する。
【００１６】
木製の建築用縦材１と木製の建築用横材２とを直角若しくは傾斜状態に接合する建築用木材の接合構造であって、前記建築用縦材１の前記建築用横材２を接合する接合側面部とは反対側の反対側面部から接合側面部へ、連結ボルト３を挿通するボルト通し孔４を前記建築用縦材１に設け、前記建築用横材２の端部に横材側金具収納穴５を設け、この横材側金具収納穴５に連結金具６を引き寄せ移動自在に配設し、この連結金具６に、前記建築用縦材１に設けた前記ボルト通し孔４を通って前記接合側面部から貫通突出する前記連結ボルト３の螺子部10が螺着する螺着部11を設けて、この連結ボルト３を回動することでこの連結ボルト３に螺着している前記連結金具６を前記横材側金具収納穴５から引き出す方向に引き寄せ移動するように構成し、前記連結金具６は、予め前記建築用横材２の前記横材側金具収納穴５内に固定する固定部13と、この固定部13に対して引き寄せ移動自在に設ける移動部14とから構成し、この移動部14に前記螺着部11を設け、この移動部14の螺着部11に螺着した前記連結ボルト３を回動することで、回り止め状態に前記横材側金具収納穴５内に収納されている前記移動部14が前記固定部13に対して引き寄せ移動する際、この引き寄せ力を前記固定部13に伝達する引き寄せ伝達用係止部15を設けたことを特徴とする建築用木材の接合構造に係るものである。
【００１７】
また、前記移動部14を引き寄せ移動する際に、この移動途中で前記固定部13に係止してこの固定部13に引き寄せ力を伝達する前記引き寄せ伝達用係止部15を前記移動部14に設けて、前記連結ボルト３を締め付け回動して前記移動部14を引き寄せた後、前記引き寄せ伝達用係止部15を介して前記固定部13にも引き寄せ力を伝達してこの固定部13の固定ガタを引き寄せ除去し、前記移動部14に設けた係止孔７に、前記建築用横材２に設けた挿通孔８から挿通する係止体９を差し込み係止して、前記建築用縦材１と前記建築用横材２とを前記連結金具６を介して接合する構成としたことを特徴とする請求項１記載の建築用木材の接合構造に係るものである。
【００１８】
また、前記連結金具６の前記固定部13は、前記建築用横材２の端部に設けた前記横材側金具収納穴５に挿入配設される板材体18で、この板材体18に設けた係止孔７に前記建築用横材２に設けた挿通孔８から挿通される係止体９を差し込み係止することで予め前記建築用横材２の前記横材側金具収納穴５内に固定される構成とし、前記連結金具６の前記移動部14は、前記固定部13に対して前記横材側金具収納穴５内から突出する方向に引き寄せ移動自在に設けられ、この移動部14の引き寄せ移動に際して係止して前記固定部13に引き寄せ力を伝達して前記係止孔７と前記係止体９との固定ガタを除去する前記引き寄せ伝達用係止部15を設けると共に、この固定部13の固定ガタを除去した後、前記建築用横材２に設けた挿通孔８に挿通する係止体９を差し込み係止する係止孔７を設けた構成としたことを特徴とする請求項１，２のいずれか１項に記載の建築用木材の接合構造に係るものである。
【００１９】
また、前記建築用縦材１の前記連結ボルト３が貫通突出する前記接合側面部に、前記引き寄せ移動する前記連結金具６の前記移動部14の一部が収納する縦材側金具収納穴12を設け、この縦材側金具収納穴12に前記連結金具６の移動部14の一部を引き寄せ移動して収納させた後、前記建築用横材２に設けた前記挿通孔８から挿通する前記係止体９を差し込み係止する前記係止孔７を前記連結金具６の移動部14に設けたことを特徴とする請求項１〜３のいずれか１項に記載の建築用木材の接合構造に係るものである。
【００２０】
また、前記建築用横材２の端部に前記横材側金具収納穴５を凹設すると共に、前記建築用縦材１の前記接合側面部に前記縦材側金具収納穴12を対向状態に凹設し、前記横材側金具収納穴５に前記連結金具６を収納して前記固定部13を横材側金具収納穴５内に固定し、前記建築用縦材１の前記接合側面部に前記建築用横材２の端部を突き合わせ配設し、前記連結ボルト３の前記建築用縦材１から貫通突出する前記螺子部10を前記連結金具６の前記移動部14の端部に設けた前記螺着部11に螺着し、この連結ボルト３を回動することで前記連結金具６の移動部14を螺動してこの移動部14の端部を前記縦材側金具収納穴12に引き寄せ収納し、前記移動部14に設けた前記係止孔７に、前記建築用横材２の前記挿通孔８から挿通した前記係止体９を差し込み係止して、前記建築用縦材１と前記建築用横材２とを接合する構成としたことを特徴とする請求項４記載の建築用木材の接合構造に係るものである。
【００２１】
また、前記建築用縦材１の前記接合側面部に前記縦材側金具収納穴12を凹設し、この縦材側金具収納穴12の上部の接合側面部を前記建築用横材２の端部の突き当て面16とし、前記縦材側金具収納穴12の下部に、前記建築用横材２の端部下面を支承する支承面17を有する形状に前記建築用縦材１を構成したことを特徴とする請求項４，５のいずれか１項に記載の建築用木材の接合構造に係るものである。
【００２２】
また、前記建築用縦材１に、前記縦材側金具収納穴12と隣接状態にして前記係止体９を差し込み係止する差込孔30を設けるか、若しくは前記建築用横材２に、前記横材側金具収納穴５と隣接状態にして前記係止体９を差し込み係止する差込孔30を設けたことを特徴とする請求項４〜６のいずれか１項に記載の建築用木材の接合構造に係るものである。
【発明の効果】
【００２３】
本発明は上述のように構成したから、建築用縦材のボルト通し孔に挿通配設した連結ボルトを建築用横材端部の横材側金具収納穴に収納固定した連結金具の螺着部に螺着して締付することにより、建築用縦材に対し建築用横材（の横材側金具収納穴に固定した連結金具）を引き寄せて接合することができ、しかも、この連結金具は、固定部を横材側金具収納穴の奥側、即ち木材の接合部分から離れた位置で固定できるので、建築用横材の交差角度を変化させようとする荷重に対して強い抵抗力を発揮する接合構造となり、その上、連結金具の引き寄せにより固定部の横材側金具収納穴への固定ガタを除去できるので、建築用縦材と建築用横材の接合部位のガタつきを確実に解消できて接合位置の精度不良や構造強度低下を生じにくい上、地震や強風の影響で建物が揺れて建築用縦材に対する建築用横材の交差角度を変化させようとする荷重が生じても、直ちにこの荷重に対する耐力を発揮できる極めて実用性に優れた画期的な建築用木材の接合構造となる。
【００２４】
また、請求項２記載の発明においては、移動体が引き寄せ移動途中でこの引き寄せ力が固定部に伝達するように構成したから、移動部の引き寄せ移動により固定部の横材側金具収納穴との固定ガタを確実に除去でき、しかも、移動部も横材側金具収納穴内に係止体によって容易に固定でき、これにより連結金具は固定部も移動部も横材側金具収納穴（建築用横材）に固定するので高強度な接合構造となると共に、移動部（係止孔）の係止体による固定ガタも引き寄せて除去できるなど、一層実用性に優れた建築用木材の接合構造となる。
【００２５】
また、請求項３記載の発明においては、固定部に対し移動部が横材側金具収納穴から突出する方向に移動する構成の連結金具を簡易に設計実現可能となり、この連結金具の固定部と移動部とを横材側金具収納穴内に係止体によって容易に固定できると共に、横材側金具収納穴の形成範囲に多数の係止体を差し込み係止することが可能となる高強度な接合構造となり、しかも、この固定部と移動部の係止孔と係止体との固定ガタを引き寄せて確実に除去できるなど、一層実用性に優れた建築用木材の接合構造となる。
【００２６】
また、請求項４〜６記載の発明においては、連結金具を、建築用横材の端部に設けた横材側金具収納穴と、建築用縦材の接合側面部に設けた縦材側金具収納穴とに架け渡すように収納して接合できるから、連結金具に対して建築用横材と建築用縦材とが位置ズレしにくい極めて強固な接合構造となると共に、横材側金具収納穴に収納した連結金具の移動部を引き寄せて縦材側金具収納穴に収納する構造であるから、建築用横材の端部を建築用縦材の接合側面部に突き合わせる際には、横材側金具収納穴に収納した連結金具の移動部が邪魔にならず、この突き合わせ作業を容易に行うことができ、しかも、建築用縦材の接合側面部に建築用横材の端部を突き合わせる際には、連結金具の移動部を邪魔にならないように横材側金具収納穴内に収納しておくことも可能であるなど、一層実用性に優れた建築用木材の接合構造となる。
【００２７】
また、特に請求項４，５記載の発明においては、連結金具の移動部も横材側金具収納穴内に係止体によって容易に固定でき、これにより連結金具は固定部も移動部も横材側金具収納穴（建築用横材）に固定するので、極めて高強度な接合構造となる。
【００２８】
また、特に請求項５記載の発明においては、連結金具に対して位置ズレしにくい横材側金具収納穴と縦材側金具収納穴とを、建築用横材の端部と建築用縦材の接合側面部とに簡易に設計実現可能となる一層実用性に優れた建築用木材の接合構造となる。
【００２９】
また、特に請求項６記載の発明において、縦材側金具挿入穴の上部の接合側面部を建築用横材の端部の突き当て面としたから、連結金具が上方へも位置ズレしにくい縦材側金具収納穴を簡易に設計実現可能となり、しかも、建築用縦材の支承面に建築用横材の端部下面を支承させて仮止め状態にできるので、この仮止め状態で連結ボルトの螺子部を連結金具の螺着部に容易に螺着して引き寄せすることができ、一層施工性に優れ、その上、建築用縦材と建築用横材の接合状態で支承面と建築用横材の端部下面とが当接していることによって、地震や強風の影響で建物が揺れて建築用縦材に対する建築用横材の交差角度を変化させようとする荷重に抗する強度が向上するので一層接合強度の高い実用性に優れた建築用木材の接合構造となる。
【００３０】
また、請求項７記載の発明においては、例えば、地震や強風の影響で建築用横材が建築用縦材を押動するような荷重が作用すると、縦材側金具収納穴内と横材側金具収納穴内で連結金具が動いて縦材側金具収納穴や横材側金具収納穴にめり込もうとするが、建築用縦材若しくは建築用横材に設けた差込孔に差し込み係止した係止体が、連結金具の縦材側金具収納穴若しくは横材側金具収納穴へのめり込みに対して強い抵抗力を発揮することになるので、一層強固な建築用木材の接合構造が実現することとなる。
【図面の簡単な説明】
【００３１】
【図１】実施例１の連結金具を示す分解斜視図である。
【図２】実施例１の連結金具を示す一部を切り欠いた側面図である。
【図３】実施例１の、建築用横材端部の横材側金具収納穴に連結金具を収納固定しようとする様子を示す説明斜視図である。
【図４】実施例１の、建築用縦材の接合側面部に建築用横材の端部を突き合わせようとする様子を示す説明斜視図である。
【図５】図４に続いて、建築用縦材の支承面に建築用横材の端部下面を支承し、ボルト通し孔に連結ボルトを挿通配設しようとする様子を示す一部を切り欠いた説明斜視図である。
【図６】図５に続いて、ボルト通し孔に連結ボルトを挿通して螺子部を連結金具の螺着部に螺着した状態を示す一部を切り欠いた説明側面図である。
【図７】図６に続いて、連結ボルトを締付回動して連結金具の移動部を建築用縦材の接合側面部の縦材側金具収納穴に引き寄せて収納した状態を示す一部を切り欠いた説明側面図である。
【図８】図７に続いて、移動部の引き寄せ伝達用係止部が固定部の係合部に係止するまで連結ボルトを締付回動した状態を示す一部を切り欠いた説明側面図である。
【図９】図８に続いて、連結ボルトを少し緩めて移動部の係止孔と固定部の係止孔とを位置合わせした状態を示す一部を切り欠いた説明側面図である。
【図１０】図９に続いて、位置合わせして連通させた移動部と固定部の係止孔及び固定部の残余の係止孔に、建築用横材の挿通孔から係止体を差し込み係止すると共に、残余のボルト通し孔に連結ボルトを挿通しようとする様子を示す一部を切り欠いた説明斜視図である。
【図１１】図１０に続いて、連結ボルトを締付回動して係止孔と係止体の固定ガタを除去した様子（建築用縦材と建築用横材との接合状態）を示す一部を切り欠いた説明側面図である。
【図１２】実施例１の別使用状態を示す一部を切り欠いた説明側面図である。
【図１３】実施例１の別使用状態を示す一部を切り欠いた説明平面図である。
【図１４】実施例２の建築用横材と建築用横材との接合状態を示す一部を切り欠いた説明側面図である。
【発明を実施するための形態】
【００３２】
好適と考える本発明の実施形態を、図面に基づいて本発明の作用を示して簡単に説明する。
【００３３】
予め建築用横材２の端部に設けた横材側金具収納穴５内に連結金具６を収納し、この連結金具６の固定部13を横材側金具収納穴５内に固定する。
【００３４】
この建築用横材２の端部を建築用縦材１の接合側面部に突き合わせ、この建築用縦材１に設けたボルト通し孔４に、前記接合側面部とは反対側の反対側面部から接合側面部へ連結ボルト３を挿通し、このボルト通し孔４を介して接合側面部から貫通突出する連結ボルト３の螺子部10を、連結金具６の移動部14に設けた螺着部11に螺着し、この連結ボルト３を締付回動すると、回り止め状態に前記横材側金具収納穴５内に収納されている移動部14が前記固定部13に対して横材側金具収納穴５から引き出す方向に引き寄せられて移動する。
【００３５】
従って、連結金具６を連結ボルト３の締付回動によって建築用縦材１側へ引き寄せても、固定部13が動かずに移動部14だけが移動するので、この固定部13を建築用縦材１の接合部分である建築用横材２の端部から離れた横材側金具収納穴５の奥側に固定することができる。
【００３６】
即ち、建築用縦材１に対して建築用横材２の交差角度を変化させようとする荷重に抗する強度を発揮させるには、建築用縦材１との接合部分である建築用横材２の端部の近傍から離れた位置に連結金具６を固定できた方が効果的であるが、本発明によれば、この高強度を発揮する構成を容易に設計実現可能である。
【００３７】
引き続いて連結ボルト３を締付回動していくと、移動部14の引き寄せ伝達用係止部15が固定部13に係止して移動部14の引き寄せ力が固定部13にも伝達され、これにより建築用横材２が建築用縦材１の接合側面部へと引き寄せられて建築用横材２の端部が建築用縦材１の接合側面部に接合することになる。
【００３８】
そして、この接合状態は、連結金具６が連結ボルト３によって引き寄せられているので、固定部13の固定ガタが除去された状態となる。
【００３９】
従って、本発明の接合構造によれば、建築用横材２への挿通孔８の形成位置に高精度を要したり建築用横材２の品質に左右されたりすることなく、建築用縦材１に対して建築用横材２をガタつきなく且つ位置精度良く接合することができ、しかも、地震や強風の影響で建物が揺れて建築用縦材１と建築用横材２とを引き離そうとする荷重や、建築用縦材１に対する建築用横材２の交差角度を変化させようとする荷重が生じても、ガタつきのない接合部位が直ちにこの荷重に対する耐力を発揮できる高強度の接合構造が実現することになる。
【００４０】
また、例えば、前記移動部14を引き寄せ移動する際に、この移動途中で前記固定部13に係止してこの固定部13に引き寄せ力を伝達する前記引き寄せ伝達用係止部15を前記移動部14に設ければ、前記連結ボルト３を締め付け回動して前記移動部14を引き寄せながら、前記引き寄せ伝達用係止部15を介して前記固定部13にも引き寄せ力を伝達してこの固定部13の固定ガタを確実に引き寄せ除去できる。
【００４１】
また、例えば、前記移動部14に係止孔７を設け、この係止孔７に前記建築用横材２に設けた挿通孔８から挿通する係止体９を差し込み係止して、前記建築用縦材１と前記建築用横材２とを前記連結金具６を介して接合する構成とすれば、移動部14を横材側金具収納穴５に対して簡易に固定でき、従って連結金具６は、固定部13と共に移動部14も係止体９によって横材側金具収納穴５（建築用横材２）に固定するので、一層高強度な接合構造となり、しかも、この移動部14（係止孔７）の係止体９による固定ガタも引き寄せて除去できることになる。
【実施例１】
【００４２】
本発明の具体的な実施例１について図１〜図１３に基づいて説明する。
【００４３】
本実施例は、木製の建築用縦材１と木製の建築用横材２とを直角に接合する建築用木材の接合構造に係るものである。
【００４４】
本実施例の建築用縦材１は、図４に示すように断面長方形状の角材を採用し、この角材の上部の一側の側面部を側面視で略Ｌ字状に切欠形成し、この切欠部分の垂直面を前記建築用横材２の端部を接合する接合側面部とし、この接合側面部より下部の水平面を建築用横材２の端部下面を支承する支承面17として、この支承面17上に建築用横材２の端部下面を面接状態で支承できるように構成している。
【００４５】
また、この建築用縦材１の接合側面部には、連結ボルト３を挿通配設してボルト先端の螺子部10を建築用縦材１の側面部より突出させるボルト通し孔４を設けている。
【００４６】
具体的には、図５〜図１１に示すように、建築用縦材１の接合側面部と、この接合側面部とは反対側の反対側面部との対向側面部間を貫通するようにして前記ボルト通し孔４を設け、このボルト通し孔４に前記反対側面部から前記連結ボルト３を挿通してこの連結ボルト３のボルト先端の螺子部10を接合側面部から貫通突出させる構成としている。
【００４７】
また、このボルト通し孔４は、建築用縦材１の接合側面部と反対側面部の横幅方向の中央位置に配設すると共に、この中央位置に上下方向に一定の小間隔を置いて複数（図面では上下四箇所）並設状態に設けている。
【００４８】
また、この建築用縦材１の接合側面部に、後述する連結金具６の一部が挿入収納する縦材側金具収納穴12を凹設している。
【００４９】
具体的には、建築用縦材１の接合側面部の、前記複数のボルト通し孔４が存する箇所に座刳り加工を施すことで凹設部を形成し、この凹設部を前記縦材側金具収納穴12としている。
【００５０】
また、この縦材側金具収納穴12は、上下方向に連続する縦長方形状であって比較的奥行の浅い（水平方向の穴長が短い）穴に形成し、この縦材側金具収納穴12内に前記ボルト通し孔４を介して前記連結ボルト３のボルト先端部が突出するように構成している。また、この縦材側金具収納穴12の好ましい穴長は、建築用縦材１と建築用横材２の接合部に発生する曲げ変形量より長い穴長であり、概ね建築用横材２の高さの１／２０程度の穴長が良い。
【００５１】
また、この縦材側金具収納穴12の開口部の全周を囲む前記接合側面部を前記建築用横材２の端部を面接当接させる突き当て面16としている。即ち、この縦材側金具収納穴12は、上下左右四方が全て囲まれた穴に形成したため、この縦材側金具収納穴12に後述する連結金具６の一部を挿入収納すると、連結金具６が上下左右方向に位置ズレしにくい構成としている。
【００５２】
また、この縦材側金具収納穴12内の奥側面に隣接状態にして、前記ボルト通し孔４の孔長と直交する方向に孔長を有する差込孔30を、ボルト通し孔４を避けた建築用縦材１の複数箇所（図面では上下方向に間隔を置いた四箇所）に貫通形成し、この各差込孔30に係止体９としてのドリフトピン９を差し込み係止することにより、後述する連結金具６の移動部14が縦材側収納穴12内の奥側面に深くめり込むことをこの複数の係止体９が防止する構成としている。即ち、建築用横材２の端部が建築用縦材１の接合側面部を押動するような荷重が加わると、縦材側金具収納穴12に収納した連結金具６の移動部14が縦材側金具収納穴12内で回転するように動いて移動部14の突出先端部が縦材側金具収納穴12内の奥側面にめり込もうとするが、このめり込もうとする移動部14の突出先端部を複数の係止体９が支持してめり込みに強固に抵抗する接合構造としている。
【００５３】
また、この建築用縦材１は、図５に示すように、反対側面部の前記複数のボルト通し孔４が存する箇所にも座刳り加工を施すことで座刳り部25を形成し、この座刳り部25に長尺な六角ボルトを採用した前記連結ボルト３のボルト頭部と共に座金26を収めつつ連結ボルト３をボルト通し孔４に挿通配設し得るように構成している。
【００５４】
また、この座刳り部25は、上下方向に連続する形状に形成してこの座刳り部25に全てのボルト通し孔４が配置する構成とし、一方、前記座金26も、上下方向に長さを有し且つ上下方向に複数（図面では四箇所）のボルト孔27を有する帯板状に形成して、この上下方向に長さを有する一枚の座金26が複数の連結ボルト３全てに対しての機能を賄う構成としている。
【００５５】
従って、上下方向に長さを有するこの座金26が建築用縦材１に広い面積で面接重合するため、連結ボルト３の締付力が建築用縦材１の広い範囲に分散して作用して建築用縦材１にめり込みにくく、建築用縦材１を傷付けにくい構成としている。
【００５６】
また、本実施例では、前記ボルト通し孔４と前記支承面17と前記縦材側金具収納穴12と前記差込孔30と前記座刳り部25とがプレカットされた建築用縦材１を使用する構成としている。
【００５７】
本実施例の建築用横材２は、断面長方形状の角材を採用し、その端部に後述する連結金具６が挿入収納する横材側金具収納穴５を設けている。
【００５８】
また、この横材側金具収納穴５は、建築用横材２の軸心位置に、反対側にまで貫通しない横穴５を凹設して構成すると共に、この横穴５は、建築用横材２の外形に同調し且つ建築用横材２の外形より一回り径小な縦長方形状を呈する角穴に形成している。即ち、この横材側金具収納穴５は、上下左右四方が全て囲まれた穴に形成したため、この横材側金具収納穴５に後述する連結金具６を挿入収納すると、連結金具６が上下左右方向に位置ズレしにくい構成としている。
【００５９】
更に詳しくは、この横材側金具収納穴５は、前記建築用縦材１の前記縦材側金具収納穴12と同形状の角穴であって、前記縦材側金具収納穴12より奥行の深い（水平方向の穴長が長い）穴に形成している。
【００６０】
即ち、前記建築用横材２の端部に前記横材側金具収納穴５を凹設すると共に、前記建築用縦材１の前記接合側面部に前記縦材側金具収納穴12を対向状態に凹設し、この建築用横材２の端部を建築用縦材１の接合側面部に突き合わせて建築用横材２の端部下面を建築用縦材１の支承面17に支承すると、同形状で且つ穴長の異なる横材側金具収納穴５と縦材側金具収納穴12との位置が丁度合致し連通状態となって、後述する連結金具６の収納空間が形成されるように構成している。
【００６１】
また、図３〜図５に示すように、建築用横材２の端部の側面部に、対向側面部間を水平方向に貫通し且つ前記横材側金具収納穴５に連通するようにして挿通孔８を複数散在状態に形成すると共に、この各挿通孔８は、後述する固定部13および移動部14の各係止孔７と数と配置が対応するようにして複数形成し、この各挿通孔８に係止体９としてのドリフトピン９を差し込み挿通して圧入係止し得るように構成している。
【００６２】
また、本実施例の建築用横材２は、前記横材側金具収納穴５と前記挿通孔８とがプレカットされたものを使用する構成としている。
【００６３】
本実施例は、前記建築用横材２の端部に設けた前記横材側金具収納穴５に連結金具６を引き寄せ移動自在に配設し、この連結金具６に、前記建築用縦材１に設けた前記ボルト通し孔４を通って前記接合側面部から貫通突出する前記連結ボルト３の螺子部10が螺着する螺着部11を設けて、この連結ボルト３を回動することでこの連結ボルト３に螺着している前記連結金具６を前記横材側金具収納穴５から引き出す方向に引き寄せ移動するように構成している。
【００６４】
具体的には、本実施例の連結金具６は、図１〜図３に示すように、前記横材側金具収納穴５に挿入可能な厚みのある長方形平板状に形成している。
【００６５】
また、この連結金具６は、その長辺方向が上下方向となるようにして立てた状態で横材側金具収納穴５に挿入し得るように構成し、この連結金具６を横材側金具収納穴５に奥まで挿入配設すると、その挿入基端側面が横材側金具収納穴５の開口部に臨設して建築用横材２の端部と略面一状態となるように、この連結金具６の形状並びに横材側金具収納穴５の穴長を設定構成している。
【００６６】
また、この連結金具６について更に詳しく説明すると、予め前記建築用横材２の前記横材側金具収納穴５内の奥側に収納して固定する固定部13と、この固定部13に対して引き寄せ移動自在に設ける移動部14とから構成し、この移動部14に前記螺着部11を設け、この移動部14の螺着部11に螺着した前記連結ボルト３を回動することで、回り止め状態に前記横材側金具収納穴５内に収納されている前記移動部14が前記固定部13に対して引き寄せ移動する際、この引き寄せ力を前記固定部13に伝達する引き寄せ伝達用係止部15を、移動部14に設けている。
【００６７】
また、この連結金具６の前記固定部13は、前記建築用横材２の端部に設けた前記横材側金具収納穴５に挿入配設される左右一対の板材体18で構成し、この左右一対の板材体18を前記移動部14の（後述する肉薄部22の）左右側面部に夫々沿設重合すると、各板材体18が連結金具６の外面として露出する構成としている。
【００６８】
また、この左右一対の板材体18は、図１に示すように、縦長方形状の金属製薄板で構成し、この各板材体18の上下端部を対向内側に向けて略直角に折曲することで、前記移動部14の（後述する肉薄部22の）上下面部に沿設重合するガイド部19を形成している。即ち、この上下のガイド部19をスライドガイドとして、前記移動部14が固定部13（左右一対の板材体18）に対し水平スライド移動可能となるように構成している。また、この上下のガイド部19は、板材体18の（後述する係止孔７の）変形防止のための補強リブとしても機能する構成としている。
【００６９】
また、各板材体18は、横材側金具収納穴５に対する挿入先端側部も対向内側に向けて略直角に折曲して、各板材体18の（後述する係止孔７の）変形防止のための補強リブ部20としている。
【００７０】
また、上下の各ガイド部19は、横材側金具収納穴５に対する挿入先端側縁を、後述する引き寄せ伝達用係止部15が係止する係合部21としている。
【００７１】
また、この左右一対の板材体18には、前記建築用横材２に設けた前記挿通孔８から挿入される前記係止体９を差し込み係止する係止孔７を、各板材体18を板厚方向に貫通するようにして複数散在状態に設けている。
【００７２】
また、この複数の係止孔７のうち、本実施例では左右一対の板材体18の前記横材側金具収納穴５に対する挿入先端側に存するものの数箇所（図面では、板材体18の上下方向中ほどの二箇所）の係止孔７を初期固定用係止孔７Ａとし、この各初期固定用係止孔７Ａに前記建築用横材２に設けた前記挿通孔８から挿入される前記係止体９を差し込み係止することで予め固定部13が前記建築用横材２の前記横材側金具収納穴５内に固定される構成とし、前記連結金具６の前記移動部14は、この固定状態の固定部13に対して横材側金具収納穴５内から突出する方向に引き寄せ移動自在に設けられる構成としている。
【００７３】
また、固定部13は、横材側金具収納穴５内の最も奥側位置に配設固定されるように前記挿通孔８の建築用横材２への形成位置を設定構成し、これにより固定部13が木材同士の接合部分から離れた位置で固定されて、建築用横材２の交差角度を変化させようとする荷重に対して強い抵抗力を発揮する構成としている。
【００７４】
また、この連結金具６の前記移動部14は、厚みのある縦長方形状の金属製板で構成し、前記横材側金具収納穴５内から突出しようとする突出先端側の一部を残してこれより基端側（横材側金具収納穴５に対する挿入基端側の一部を残してこれより先端側）を一回り外径が径小となる肉薄部22に形成し、この肉薄部22の左右側面部に外側から前記左右一対の板材体18を被嵌して沿設重合させると、この左右一対の板材体18の外面が移動部14の挿入基端部の外面と略面一状態となって、前記横材側金具収納穴５に挿入可能な厚みのある長方形平板状の連結金具６が完成する構成としている。
【００７５】
また、この移動部14の、横材側金具収納穴５からの突出先端部は、この移動部14の引き寄せ移動によって前記縦材側金具収納穴12内に収納させるものとし、図２に示すように、この移動部14の突出先端側面に前記連結ボルト３のボルト先端の螺子部10を螺着する螺着部11としての雌螺子孔11を設けている。
【００７６】
また、この螺着部11は、前記複数のボルト通し孔４に位置を対応させて上下方向に複数（図面では四箇所）並設状態に設けている。
【００７７】
また、本実施例では、建築用縦材１の前記支承面17に建築用横材２の端部下面を支承して仮止めした際に、前記各ボルト通し孔４と横材側金具収納穴５に収納した連結金具６（移動部14）の前記各螺着部11とが略同一直線上に位置することとなって、この仮止め状態で連結ボルト３の螺子部10を螺着部11に簡単に螺着することができるようにボルト通し孔４，横材側金具収納穴５，螺着部11，縦材側金具収納穴12，支承面17の各部への形成位置を設定構成し、この螺着部11に螺着した連結ボルト３を更に締付回動させると、前記移動部14は、固定状態の固定部13に対して横材側金具収納穴５内から突出する方向に引き寄せられるように移動して、この移動部14の挿入基端部の一部が前記縦材側金具収納穴12に収納する構成としている。
【００７８】
また、この移動部14の肉薄部22に、この移動部14の引き寄せ移動に際して係止して前記固定部13に引き寄せ力を伝達して前記係止孔７と前記係止体９との固定ガタを除去する前記引き寄せ伝達用係止部15を設けると共に、この固定部13の固定ガタを除去した後、前記建築用横材２の前記挿通孔８に挿通した前記係止体９を差し込み係止する前記係止孔７を、この肉薄部22を板厚方向に貫通するようにして複数散在状態に設けた構成としている。
【００７９】
更に詳しくは、前記肉薄部22の、前記横材側金具収納穴５に対する挿入先端部の上部と下部とに夫々爪形の前記引き寄せ伝達用係止部15を一体的に突設して、移動部14が前記固定部13に対して引き寄せ方向にスライド移動していくと、この引き寄せ移動途中で上下の引き寄せ伝達用係止部15が前記板材体18の前記係合部21に係止する構成としている。
【００８０】
また、この移動部14に設ける各係止孔７は、その数と配置を前記固定部13の横材側金具収納穴５に対する挿入基端側に設けた各係止孔７に対応させて形成すると共に、この移動部14を固定部13に対し引き寄せ方向に移動させて前記引き寄せ伝達用係止部15が係合部21に係止する直前の位置で、固定部13の挿入基端側に設けた各係止孔７と丁度連通状態となるように形成位置を設定構成している。
【００８１】
また、この移動部14は、横材側金具収納穴５からの突出先端部と反対側に存する肉薄部22の固定部13側の端面の上下方向の中ほど位置を、突出先端側へ向かって凹となる凹部23に形成し、図６に示すように、この凹部23に固定部13の前記各初期固定用係止孔７Ａに差し込み係止した係止体９が位置することとなって、この各初期固定用係止孔７Ａに差し込み係止した係止体９が移動部14の引き寄せ方向への移動の障害とならないように構成している。
【００８２】
また、本実施例の前記各係止孔７は、その孔径寸法を、この係止孔７に差し込んで挿通させる係止体９（ドリフトピン９）の外径寸法よりもやや径大に設定して、この係止孔７に対して係止体９を抵抗なく差し込み挿通させることができるように構成している。
【００８３】
また、移動部14を引き寄せ移動させて、移動部14の係止孔７を固定部13の挿入基端側に設けた各係止孔７と丁度連通状態とした際（移動部14の各係止孔７と固定部13の各係止孔７とを位置合わせした際）に、前記縦材側金具収納穴12内に収納した移動部14の突出先端側面と、この縦材側金具収納穴12内の奥側面との間に、前記係止孔７の孔径寸法と前記係止体９の外径寸法との寸法差と同じかあるいは寸法差よりやや大きな隙間が生じるように、この係止孔７の連結金具６への形成位置と、前記挿通孔８の建築用横材２の側面部への形成位置とを設定構成している。
【００８４】
従って、丁度連通状態となっている固定部13の挿入基端側に設けた各係止孔７と移動部14の係止孔７とに係止体９を差し込み係止した後、連結ボルト３を締付回動すると、移動部14が更に引き寄せ方向に移動することによって移動部14の係止孔７の孔縁が係止体９の外周面に隙間なく接触すると共に、係止体９の反対側の外周面に固定部13の係止孔７の孔縁が隙間なく接触することになり、この各係止孔７と各係止体９との固定ガタ（連結金具６の固定ガタ）が除去された状態になる構成としている。
【００８５】
また、ここで本実施例の連結ボルト３を詳しく説明すると、その先端部の小範囲だけを前記螺着部11に螺着する螺子部10に形成し、この螺子部10よりボルト頭部側は、無螺子部24に形成している。また、この螺子部10と無螺子部24とは、前記ボルト通し孔４の孔径と略同径寸法を有する構成としている。
【００８６】
次に、本実施例の建築用縦材１と建築用横材２の接合方法を説明する。
【００８７】
予め、建築用横材２の端部の横材側金具収納穴５内に縮めた状態（固定部13に対して移動部14が引き寄せ方向に移動していない状態）の連結金具６を挿入収納し、この建築用横材２の端部が最も離れた位置にあって且つ連結金具６の固定部13の初期固定用係止孔７Ａに対応する挿通孔８から係止体９を差し込み係止して、横材側金具収納穴５内に固定部13を固定しておく（図３参照。）。
【００８８】
また、図面では、移動部14の突出先端側寄りの肉薄部22の上下部に仮止め体28を差し込みするための仮止め用係止孔29を形成し、この仮止め用係止孔29に対応させて建築用横材２に形成した前記挿通孔８からボルト28を採用した仮止め体28を差し込んで、移動部14が固定部13に対して移動しないようにし（移動部14が横材側金具収納穴５内に収納した状態が維持されるようにし）、これにより建築用横材２の端部を建築用縦材１の接合側面部に突き合わせる際に連結金具６が支障とならないようした場合を示している。
【００８９】
また、予め、建築用縦材１の前記差込孔30に係止体９を差し込み固定しておく。
【００９０】
建築用縦材１に対し上方から建築用横材２の端部を下ろしてこの建築用横材２の端部下面を建築用縦材１の支承面17に支承すると、縦材側金具収納穴12と横材側金具収納穴５とが連通状態となると共に、建築用縦材１のボルト通し孔４と連結金具６の移動部14の前記螺着部11とが略同一直線状に位置することになるので、座金26（ボルト孔27）を介して建築用縦材１の反対側面部からボルト通し孔４に連結ボルト３を挿通して、螺子部10を螺着部11に螺着する（図４，図５参照。）。尚、図面では、上下二箇所のボルト通し孔４にだけ連結ボルト３を挿通して螺着部11に螺着した場合を示している。
【００９１】
次いで、各連結ボルト３を締付回動すると、連結金具６の移動部14が固定部13に対して横材側金具収納穴５内から突出する方向に引き寄せられるように移動することになり、この移動部14の一部が建築用縦材１の接合側面部の前記縦材側金具収納穴12に収納されることになる（図６，図７参照。）。
【００９２】
即ち、突き合わせた建築用縦材１の接合側面部と建築用横材２の端部とに架け渡されるようにして連結金具６が配されることになる。
【００９３】
引き続き、連結ボルト３を締付回動していくと、引き寄せ移動途中で移動部14の引き寄せ伝達用係止部15が固定部13の係合部21に係止し、移動部14の引き寄せ力が固定部13にも伝達されて（固定部13も引き寄せられて）、固定部13の前記初期固定用係止孔７Ａとこれに差し込み係止している係止体９との間の固定ガタが除去された状態となると共に、やがて建築用横材２から引き寄せられて建築用横材２の端部が建築用縦材１の接合側面部にぴったりと面接することになり、これ以上連結ボルト３を締付回動できなくなる（図８参照。）。
【００９４】
しかし、この引き寄せ伝達用係止部15が係合部21に係止している状態では、移動部14の係止孔７と固定部13の挿入基端側の係止孔７とが位置ずれしていて係止体９を差し込み係止することができないので、少し連結ボルト３を緩めて移動部14の係止孔７と固定部13の挿入基端側の係止孔７とが丁度連通状態となるようにし、この連通状態となっている全ての係止孔７と、固定部13の残余の係止孔７とに、建築用横材２の挿通孔８から係止体９を打ち込んで差し込み係止する（図９，図１０参照。）。
【００９５】
次いで、連結ボルト３を締付回動して再度移動部14を引き寄せると、各係止孔７の孔縁の一部が各係止体９の外周面の一部に対して接近移動し、この係止孔７の孔縁の一部が係止体９の外周面の一部に隙間なく接触するまで連結ボルト３を締付回動して（固定部13と移動部14の固定ガタを除去して）施工（接合）完了となる（図１１参照。）。
【００９６】
尚、移動部14の引き寄せ伝達用係止部15が固定部13の係合部21に係止するまで連結ボルト３を回動させてから一度緩めるようにせずとも、建築用横材２の挿通孔８から覗いて連結ボルト３を締付回動しながら移動部14と固定部13の係止孔７が丁度連通状態となるのを確認し、連通する係止孔７と固定部13の残余の係止孔７とに挿通孔８から係止体９を差し込み係止してから、連結ボルト３を再度締付回動して係止孔７と係止体９との固定ガタを除去するようにしても良い。
【００９７】
この本実施例の接合構造は、各係止孔７に対する各係止体９の固定ガタ（連結金具６の建築用横材２に対する固定ガタ）が除去されているので、極めて強固な接合構造となる。そして、この接合状態では、前記したように係止孔７と係止体９との固定ガタが除去されていると共に、連結金具６が建築用横材２の端部の横材側金具収納穴５と建築用縦材１の縦材側金具収納穴12とに架け渡し状態に収納されているので、この連結金具６に対して建築用縦材１と建築用横材２とが位置ズレしにくい（建築用縦材１の接合側面部の面方向に建築用横材２が位置ズレしにくい）強固な接合状態となる。また、連結金具６が引き寄せられて移動する構造でありながら、連結金具６は固定部13に対して移動部14が引き寄せ移動するものであるから、横材側金具収納穴５内に連結金具６が移動することによる隙間が生じず、従って横材側金具収納穴５の形成範囲に係止体９を多数係止して強固に固定できることとなった。
【００９８】
また、図１２，図１３は、本実施例の別使用例を示している。
【００９９】
具体的には、本実施例の建築用木材の接合構造に、前記特許文献１と同等の断面コ字型の接合金具31を併用して、建築用縦材１に対し複数の建築用横材２を別々の方向へ接合した場合である。
【０１００】
具体的には、建築用縦材１の反対側面部に前記座刳り部25を設けず、この反対側面部に接合金具31の縦材固定部32を当接し、この接合金具31を座金26を介して前記連結ボルト３により反対側面部に固定し、この縦材固定部32から突出する左右一対の横材連結板部33に他の建築用横材２の端部の仕口部35を係止体９によって接合している。
【０１０１】
また、建築用縦材１の接合側面部と直交する側面部にも、金具取付ボルト34により前記接合金具31を固定し、この接合金具31により他の建築用横材２の端部の仕口部35を係止体９によって接合している。
【０１０２】
このように本接合構造は、既存のコ字型接合金具31を用いた接合構造とも併用が可能である。
【実施例２】
【０１０３】
本発明の具体的な実施例２について図１４に基づいて説明する。
【０１０４】
本実施例は、前記実施例１において、前記建築用縦材１に前記差込孔30を形成せずに、前記建築用横材２に差込孔30を設けた場合である。尚、図示していないが、建築用縦材１と建築用横材２の双方に前記差込孔30を形成する構成としても良い。
【０１０５】
具体的には、建築用横材２の前記横材側金具収納穴５内の奥側面に隣接状態にして、前記挿通孔８の孔長と平行方向に孔長を有する差込孔30を建築用横材２の複数箇所（図面では上下方向に間隔を置いた四箇所）に貫通形成し、この各差込孔30に係止体９としてのドリフトピン９を差し込み係止することにより、前記連結金具６の前記固定部13が横材側金具収納穴５内の奥側面に深くめり込むことをこの複数の係止体９が防止する構成としている。即ち、建築用横材２の端部が建築用縦材１の接合側面部を押動するような荷重が加わると、横材側金具収納穴５に収納した連結金具６の固定部13が横材側金具収納穴５内で回転するように動いて固定部13の挿入先端部が横材側金具収納穴５内の奥側面にめり込もうとするが、このめり込もうとする固定部13の挿入先端部を複数の係止体９が支持してめり込みに強固に抵抗する接合構造としている。
【０１０６】
他の構成は、前記実施例１と同様である。
【０１０７】
尚、本発明は、実施例１，２に限られるものではなく、各構成要件の具体的構成は適宜設計し得るものである。
【符号の説明】
【０１０８】
１  建築用縦材
２  建築用横材
３  連結ボルト
４  ボルト通し孔
５  横材側金具収納穴
６  連結金具
７  係止孔
８  挿通孔
９  係止体
10  螺子部
11  螺着部
12  縦材側金具収納穴
13  固定部
14  移動部
15  引き寄せ伝達用係止部
16  突き当て面
17  支承面
18  板材体
30  差込孔
【図１】
2013133677.tif 000003
【図２】
2013133677.tif 000004
【図３】
2013133677.tif 000005
【図４】
2013133677.tif 000006
【図５】
2013133677.tif 000007
【図６】
2013133677.tif 000008
【図７】
2013133677.tif 000009
【図８】
2013133677.tif 000010
【図９】
2013133677.tif 000011
【図１０】
2013133677.tif 000012
【図１１】
2013133677.tif 000013
【図１２】
2013133677.tif 000014
【図１３】
2013133677.tif 000015
【図１４】
2013133677.tif 000016